(57)【要約】【課題】射出ブロー成形機が備える竪型型締装置の可動板の上昇移動を、ブースタラムに代えて、両側の油圧シリンダにより行うことで、型開速度の高速化を図る。【解決手段】上面に射出キャビティ型を設置した下部基盤と、下部基盤の両側に立設したタイバーの上端に連結した型締シリンダブロックと、タイバーに挿通して下部基盤の上方に昇降自在に設けられ、下側にネック型の移送板を回転自在に支持した上部基盤と、タイバーに挿通して上部基盤の上に昇降自在に設けられ、上面中央に型締ラムを連結した可動板と、上部基盤と移送板及びネック型を通して射出キャビティ型のキャビティに挿入される可動板下面の射出コアとからなる。上記基部基盤と可動板の両端部に、上部基盤の昇降シリンダと可動盤の上昇シリンダとを、上下に対向させて縦に両方の昇降ロッドを上部基盤に連結して設ける。【選択図】　　図１
2004122440.tif 000002
【特許請求の範囲】
【請求項１】
上面に射出キャビティ型を設置した下部基盤と、下部基盤の両側に立設したタイバーの上端に連結した型締シリンダブロックと、タイバーに挿通して下部基盤の上方に昇降自在に設けられ、下側にネック型の移送板を回転自在に支持した上部基盤と、タイバーに挿通して上部基盤の上に昇降自在に設けられ、上面中央に型締ラムを連結した可動板と、上部基盤と移送板及びネック型を通して射出キャビティ型のキャビティに挿入される可動板下面の射出コアとからなり、
上記基部基盤と可動板の両端部に、上部基盤の昇降シリンダと可動盤の上昇シリンダとを、上下に対向させて縦に両方のピストンロッドを上部基盤に連結して設けてなることを特徴とする射出ブロー成形機の型締装置。
【発明の詳細な説明】
【０００１】
【発明の属する技術分野】
この発明は、プリフォームの射出成形とボトルなどの中空成形品のブロー又は延伸ブロー成形を、同一機内にて行うことができる成形機の型締装置に関するものである。
【０００２】
【従来の技術】
従来の射出ブロー成形機が備える竪型の型締装置では、射出コアを取付けた可動板にブースタラムを内装した型締ラムを連結し、その型締ラムにより可動板の昇降と型締との両方を行えるようにしている。（特開平３−１４２２２０号公報、参照）。
【０００３】
【特許文献１】特開平３−１４２２２０号公報（第４頁、第４図）。
【０００４】
【発明が解決しようとする課題】
上記従来技術では、型締シリンダ上部から下側に位置する中空の型締ラム内にブースタラムを設け、そのブースタラムにより型締ラムを型締シリンダ内に縮小して、型締ラムの下端に連結した可動板を上昇移動している。この可動板の下面には型締盤と、その型締盤に下向きに固設した複数本の射出コアとが取付けてある。
【０００５】
このような従来技術では、可動板をタイバーにより挿通支持していても、可動板側の荷重が全て型締ラムに掛かっているので、ブースタラムはその荷重に逆らって型締ラムを上昇移動することになる。このためブースタラムの負担が大きくなり、その負担の軽減から途中まで上部基盤と共に型開している。このため開閉用として通常に使用されているブースタラムの機能が十分に発揮されず、またブースタラムではラム内に穿設した細い流路から型締ラム内に圧油を供給しているので、油圧抵抗も大きく、型開動作を高速で行え難いという課題を有する。
【０００６】
この発明は、上記従来の課題をするために考えられたものであって、その目的は、ブースタラムに代えて片側のみ油圧作動する油圧シリンダを、可動板の上昇シリンダとして採用し、荷重のある可動板の型開速度の高速化を可能とする新たな射出延伸ブロー成形機の型締装置を提供することにある。
【０００７】
【課題を解決するための手段】
上記目的によるこの発明は、上面に射出キャビティ型を設置した下部基盤と、下部基盤の両側に立設したタイバーの上端に連結した型締シリンダブロックと、タイバーに挿通して下部基盤の上方に昇降自在に設けられ、下側にネック型の移送板を回転自在に支持した上部基盤と、タイバーに挿通して上部基盤の上に昇降自在に設けられ、上面中央に型締ラムを連結した可動板と、上部基盤と移送板及びネック型を通して射出キャビティ型のキャビティに挿入される可動板下面の射出コアとからなり、上記基部基盤と可動板の両端部に、上部基盤の昇降シリンダと可動盤の上昇シリンダとを、上下に対向させて縦に両方のピストンロッドを上部基盤に連結して設けてなる、というものである。
【０００８】
上記構成では、可動板の上昇移動を、型締シリンダと型締ラム内とにわたり設けたブースタラムに代えて、上部基盤と可動板とにわたり設けた両端部の上昇シリンダにより行えるようにしたので、可動板側の荷重により上昇速度（型開速度）が遅くなることがなく、またブースタラムに看られる油圧抵抗も軽減されるなどのことから、従来よりも可動板の上昇移動を高速で行えるようになり、型開閉も上下の昇降シリンダの作動順番によって、上部基盤又は可動板の何れか一方を先に又は同時に行え、型締シリンダの構造も簡素化されるようになる等の利点を有する。
【０００９】
【発明の実施の形態】
図中１は下部基盤で、両側に立設した一対のタイバー２の上端に型締シリンダブロック３が連結してある。４は下部基盤１の上方に作業スペースを空けて配設した上部基盤、５は型締シリンダブロック２と上部基盤４との間に配設した可動板で、その両方は上記タイバー２に挿通して昇降自在に設けられている。
【００１０】
下部基盤１の上面には、上部が開口したキャビティ６ａを有する射出キャビティ型６が、内部にホットランナーブロック７を備えた台座８に載せて設置してあり、その射出キャビティ型６と型閉じするネック型９が、上部基盤４の下側に回転自在に支持された移送盤１０の下面に取付けて設けてある。また可動板４の下面中央には型締盤１１が取り付けてあり、この型締盤１１に上部基盤４と可動板５とに穿設した穴部とネック型８とを通して、射出キャビティ型６のキャビティに挿入される射出コア１２が下方に長く取り付けてある。
【００１１】
上記型締シリンダブロック３は内部に、中央の縦長の型締シリンダ１３と、その両側の一対の圧油チャージシリンダ１４とを有し、各シリンダ内を摺動するピストンと一体の型締ラム１５，チャージロツド１６のそれぞれは、可動板４の上面に連結してある。また型締ラム１５は中空で内部に型締シリンダ１３の中央に縦長に設けたガイドロッド１７が挿入してあり、このガイドロッド１７により型締シリンダ１３の断面積を、一対のチャージシリンダ１４の断面積に対応した断面積に制限して、圧油のチャージを過不足なく行えるようにしてある。また図では省略しているが、型締シリンダ１３の上下室は開閉バルブを備えたバイパスにより連通してある。
【００１２】
下部基盤１と可動板５のタイバー２より外側の両端部には、上下油室１８ａ，１８ｂを有する昇降シリンダ１８と、下室が空室１９ａで上室１９ｂが油室の上昇シリンダ１９が、上下に対向させて同位置に縦に設けてあり、そのシリンダ内を摺動するピストンと一体のピストンロッド２０，２１のそれぞれを、上部基盤４の両端部に上下から挟持するように連結して、下部基盤１と可動板５とを同時に又は個々に段階的に上昇できるようにしてある。なお、図中２２は機台、２３は有底のプリフォームである。
【００１３】
図１に示す型締状態において、ホットランナーからキャビティに射出充填した樹脂により成形されたプリフォーム２３は、冷却路を内装した射出キャビティ型６と射出コア１２とにより、プリフォーム形態が保たれる状態まで冷却される。射出冷却後に昇降シリンダ１８の下室１８ａに圧油を供給すると、ピストンロッド２０が上室１８ｂの圧油を排出しながら伸長して上部基盤４を上昇する。
【００１４】
この際、可動板５も型締盤１１を介して上部基盤４に接していることから、型締ラム１５を縮小しながら上部基盤４と共に上昇する。型締シリンダ１３の上室の圧油は、その殆どが図２に示すピストン周囲の間隙から下室に流動するので負圧が防止され、また余剰分はチャージシリンダ１４に吸引されて蓄えられる。
【００１５】
上部基盤４と可動板５との同時移動により、射出キャビティ型６の上部開口と型閉していたネック型９が、射出コア１２と共に上昇して型開が行われ、図２に示すように、プリフォーム２３が射出コア１２に抱きついた状態でキャビティ６ａから抜け出し、加熱状態のまま射出キャビティ型６から離型する。
【００１６】
ピストンロッド２０が設定位置まで伸長した後に、下室１８ａを油圧ブロックして、昇降シリンダ１９の上室１９ｂに圧油を供給すると、シリンダ側が下室１９ａの空気を排出しながら可動板５と共に上昇してピストンロッド２１が伸長し、図３に示すように、射出コア１２がプリフォーム２３から抜け出して、射出コア１２の離型が行われる。
【００１７】
これによりプリフォーム２３は射出キャビティ型６と射出コア１２の両方から段階的に離型することになる。また射出コア１２から離型するまプリフォーム２３の内側の冷却が行われることになる。この型開後にプリフォーム２３は、移送板１０の回転により図示しないブローポジションに移され、新たなネック型９が射出キャビティ型６の上に移送されてくる。
【００１８】
移送板１０の停止後、昇降シリンダ１８の下室１８ａをオープンにして油圧抵抗を除き、上室１８ｂに圧油を供給すると、ピストンロッド２０が縮小して上部基盤４が、ピストンロッド２１により連結状態にある可動板５と共に降下してネック型９の型閉が行われる。この際、型締ラム１５も可動板５により下方へ引き出されて伸長し、下室の圧油は殆どがピストン周囲の隙間から上室に流動するとともに、チャージシリンダ１４から圧油が補給されて負圧が防止される。
【００１９】
ネック型９の型閉後に、上室１８ｂを油圧ブロックして上部基盤４を射出キャビティ型６に固定した後、昇降シリンダ１９の上室１９ａをオープンにし、図示しない油圧回路からの圧油により型締シリンダ１３を加圧すと、型締ラム１５が差圧により高速で降下する。これにより上昇シリンダ１９のシリンダ側が可動板５と共に降下して上部基盤４に固定したピストンロッド２１が縮小する。この降下は型締盤１１が、上部基盤４の上面に接するまで行われ、射出コア１２が上部基盤４及び移送板１０に穿設した穴部とネック型９とを貫通してキャビティ６ａに挿入されて全体が型閉状態となる。型閉後、型締シリンダ１３は強力型締となり、行程はホットランナーブロック７からキャビティ６ａへの樹脂の射出充填に移行する。
【００２０】
上記開閉作動では、先に射出キャビティ型６とネック型９とを型開して、射出成形したプリフォーム２３をキャビティ６ａから離型し、次に射出コア１２をプリフォーム２３から離型するので、プリフォーム２３はキャビティ６ａから離型したのちも、射出コア１２が離型されるまで内側から冷却することができる。
【００２１】
反対に可動板５の上昇シリンダ１９の伸長作動を先行し、次に上部基盤４の昇降シリンダ１８を伸長作動して、射出コア１３の離型を先に行い、次にプリフォーム２３の離型を行うこともできる。さらに同時作動によりプリフォーム２３の離型と射出コア１２の型開を並行させ、成形サイクルの短縮を図るなど、その順位には制限を受けない。この作動順位は成形材料として使用される樹脂、たとえば、ポリエチレンテレフタレート、ポリカーボネート、ポリプロピレン、ポリエチレン等によって任意に選択でき、それらの成形材料及び中空成形品の形態や肉厚分布等に適合した温度にプリフォーム２３を冷却して良品をブロー成形することが可能となる。
【図面の簡単な説明】
【図１】この発明に係わる型締装置の型閉時の半部縦断正面図である。
【図２】同じくプリフォーム離型時の半部縦断側面図である。
【図３】同じく射出コア離型時の半部縦断側面図である。
【符号の説明】
１　　下部基盤
２　　タイバー
３　　型締シリンダブロック
４　　上部基盤
５　　可動板
６　　射出キャビティ型
９　　ネック型
１０　　移送板
１１　　型締盤
１２　　射出コア
１３　　型締シリンダ
１５　　型締ラム
１７　　ガイドロッド
１８　　上部基盤の昇降シリンダ
１９　　可動板の昇降シリンダ
２０，２１　ピストンロッド
【図１】
2004122440.tif 000003
【図２】
2004122440.tif 000004
【図３】
2004122440.tif 000005